(57)【要約】【課題】  ローパーティションを構成するパネルが転倒しないように支持するブラケットの取付け構造であって、構造が簡単で外観も良くて、コストも安いローパーティションのブラケットの取付け構造を提供する。【解決手段】  パネル１４を適当な高さに支えるアジャスター１２の座部２をブラケット５の底に設けた凹部６に嵌めると共にブラケット５を床面１３にネジ止めし、上記座部２の外側面には凹溝４と凸片３を交互に形成し、一方のブラケット凹部６の内側面にも凹溝８と凸片９を交互に形成して互いに噛合わせ、しかも凹部中心から外側にかけてネジ部１が挿通するスリット溝７を設けている。【選択図】    図３
2006177075.tif 000002
【特許請求の範囲】
【請求項１】
ローパーティションを構成するパネルが転倒しないように支持する為のブラケットにおいて、その形状を円形、概略楕円形、又は長方形の板状体であって、中央部には凸部を上方へ突出すると共に凸部中央から外側に繋がるスリット溝をアジャスターのネジ部に相当する幅寸法で形成し、上記凸部の底にはアジャスターの座部が嵌合する凹部を設け、凹部内側面には凹溝と凸片を等間隔で形成し、そして床面にネジ止めする為の穴を貫通したことを特徴とするローパーティションのブラケット。
【請求項２】
ローパーティションを構成するパネルが転倒しないように支持する為のブラケットの取付け構造において、上記パネルを適当な高さに支えるアジャスターの座部をブラケットの底に設けた凹部に嵌めると共に、該ブラケットを床面にネジ止めし、しかも凹部中心から外側にかけてアジャスターのネジ部が挿通するスリット溝を設けたことを特徴とするローパーティションのブラケット取付け構造。
【請求項３】
ローパーティションを構成するパネルが転倒しないように支持する為のブラケットの取付け構造において、該ブラケットはその形状を円形、概略楕円形、又は長方形の板状体であって、中央部には凸部を上方へ突出すると共に凸部中央から外側に繋がるスリット溝を形成し、上記凸部の底には凹部を設けて該凹部内側面には凹溝と凸片を等間隔で形成し、上記パネルを適当な高さに支えるアジャスターのネジ部にスリット溝を嵌めると共に、座部をブラケットの底に設けた凹部に嵌め、そして座部外側面に形成した凹溝と凸片を座部の凹部に設けた凸片と凹溝に噛合わせ、この状態でブラケットを床面にネジ止めしたことを特徴とするローパーティションのブラケット取付け構造。
【発明の詳細な説明】
【技術分野】
【０００１】
本発明は私的な小空間を仕切るために用いるローパーティションが転倒しないようにアジャスターの座部を固定する為のブラケット及びブラケットの取付け構造に関するものである。
【背景技術】
【０００２】
ローパーティションの形態も色々あるが、基本的には床面に配置されて周りを囲むようにパネルを起立している。従って、該パネルの高さは低くて天井までは届かない寸法と成っている為に不安定であり、揺れたり時には転倒する可能性がある。そこで、この転倒を防止する為にパネル下端部にブラケット(安定脚)を取付けている。一般のブラケットは概略Ｌ形を成してパネル表面に面付けされる為に、ローパーティションの意匠が損なわれる。
【０００３】
特開２００３−１２９５９５号に係る「間仕切りパネルの安定脚取付装置」は、間仕切りパネルに安定脚を、少数の部品を持って、所定の位置に、確実かつ簡単に取付られるものであり、「前面より、上下方向の狭幅の挿入溝と、その奥に連なる上下方向の幅広の係合溝とを設けた間仕切りパネルの支柱の前面において、挿入溝と係合溝に上下摺動可能に嵌合しうる狭幅の連片と広幅の係止片を備える取付ブロックを、側面視前向Ｌ形を成す安定脚の後端における垂直杆の後面に設けた凹入孔に嵌合し、垂直杆の前方より挿入した取付ビスを、取付ブロックに螺合することにより、取付ブロックを前方へ引き寄せ、その後端の係止片をもって、支柱の前方を狭圧させて、取付ブロックを固定する。」
この「間仕切りパネルの安定脚取付装置」ではＬ形安定脚が用いられ、その垂直杆が支柱に沿って固定される為に外観が損なわれる。また、支柱には挿入溝及び係合溝が全長にわたって設けられ、該挿入溝は表面化する。この点も、ローパーティションの外観を損なう一因と成っている。そして、上記係合溝に嵌めて支柱と安定脚を連結する為の取付ブロックが必要であり、該安定脚だけでは取付出来ず、部品点数の増加はコスト高をもたらす。
【０００４】
特開平１１−２２０７４号に係る「パネル状パーティションの安定脚装置」は、パーティションの支柱を、ぐら付くことなく安定して、強固に床に固定するものであり、「締め付け具及びフック部材の傾斜面は支柱から離間するにつれ上方に傾斜する傾斜面となっており、上記締め付けネジを回転すると、締め付け具はフック部材を押圧し、フック部材は下方かつ外側に移動され、コーナー補強部材を支柱に対し強固に固定するように働く。」
しかし、この安定脚装置では安定板、コーナー補強部材、フック部材、ネジ受部材、締め付け具を備える必要があり、部品点数が多くて構造は複雑化すると共に製造コストは高く、一方では据え付けられるローパーティションの外観を安定装置が阻害する形態と成っている。さらに、ローパーティションを壁面付近に起立する場合、従来のような安定板を取付けるにはスペース上の問題がある。Ｌ形ブラケットの場合、底片の長さは約２００ｍｍ程度ある為に、壁面との間にはこの長さに相当するスペースが必要となり、壁際にローパーティションを据付けることが出来ない。
【特許文献１】特開平１１−２２０７４号に係る「パネル状パーティションの安定脚装置」
【特許文献２】特開２００３−１２９５９５号に係る「間仕切りパネルの安定脚取付装置」
【発明の開示】
【発明が解決しようとする課題】
【０００５】
このように、従来のローパーティションが転倒しないように備える安定装置には上記のごとき問題がある。本発明が解決しようとする課題はこれら問題点であり、簡単な構造であると共に意匠上の外観も良くてコストが安く、壁際に起立するローパーティションにも適用出来るブラケット及び該ブラケットの取付け構造を提供する。
【課題を解決するための手段】
【０００６】
本発明が対象とするローパーティションは、パネルを支えるアジャスターにブラケットが取付けられて転倒が防止される。アジャスターはネジ部と座部を有し、ネジ部は座部から垂直に起立し、座部は円錐形又は角錐形等をしている。そして、座部の傾斜外周面には必要に応じて凹凸の溝が形成されている。一方のブラケットは主として円形又は楕円形などの板状体であり、上記アジャスターの座部と係合する為の凹部が形成され、該凹部中心から外側にかけて設けたスリット溝が切欠かれている。
【０００７】
スリット溝の溝幅はアジャスターのネジ部が嵌る寸法である。そこで、ローパーティションのパネル下端に取付けられて該パネルを適当な高さで支えるアジャスターのネジ部にブラケットのスリット溝を嵌め、床面まで降ろすと共に凹部には座部を嵌合する。そして、ブラケットは床面にネジ止めにて固定され、その結果、アジャスター及び該アジャスターにて支持されるパネルは転倒することなく起立する。
【発明の効果】
【０００８】
本発明に係るブラケット取付け構造は、アジャスターの座部とブラケット凹部が嵌合した状態で床面にネジ止めする構造であり、従来のような概略Ｌ形ブラケットに比較して小さくてスマートであり、ローパーティションの外観・意匠が損なわれることはない。そして、該ブラケットの取付け構造が簡単であるために、製作コストは安くなると共に、アジャスターへの取付け作業も容易である。すなわち、先端のスリット溝にネジ部を嵌めて床面に降ろすことで座部は凹部と嵌合し、この状態で該ブラケットを床にネジ止めすることが出来る。
【０００９】
そして、ブラケットの底に形成した凹部内面には凹凸が形成され、円錐形座部又は角錐形座部の内側面に設けた凹凸と互いに噛合うことで、該座部を床面に安定して固定することが可能と成る。又、ブラケットの形状は円形又は楕円形などの板状体である為に、パネル面から外方向へ大きく突出することはなく、壁際にローパーティションを配置することが可能となる。
【実施例】
【００１０】
図１はアジャスター１２を示す実施例であり、同図の1はネジ部、2は座部を表し、ネジ部1は座部２から垂直上方へ延びている。ネジ部1にはネジが形成され、座部2は円錐形をして、その傾斜した外周面は凹凸形状と成っている。すなわち、中心から外周に向けて複数の凸片３，３・・及び凹溝４，４・・が一定間隔で形成されている。
【００１１】
図2はブラケット５の具体例であり、(ａ)は平面図、(ｂ)は正面図、(ｃ)は底面図、(ｄ)は側面図、(ｅ)は断面図を夫々表している。該ブラケットは楕円形の板状体であって、底面には凹部6が設けられ、凹部6の形状は円錐形のすり鉢型と成っている。また、中心部には円錐台形の凸部１１が上方に突出した形状を成している。そして、該凸部１１の中心から短径方向の外側に向けてスリット溝7が切欠かれている。
【００１２】
凸部１１の底側に形成される凹部６の傾斜内側面には複数の凹溝８，８・・と凸片９，９・・が等間隔で形成されている。上記楕円形ブラケット５の長径Ｌはローパーティションのパネル厚さに近い寸法と成っており、従来のブラケットのように長くない為にパネル面から大きくはみ出すことはない。そして、該ブラケット５を床面に固定する為に２個の穴１０，１０が長径方向の外周部に設けられている。
【００１３】
該ブラケット５は前記図1に示すアジャスター１２の座部２に凹部6を嵌合し、座部２の突片３，３・・はブラケット５の凹部６に設けている凹溝８，８・・と噛合い、凹部６の凸片９，９・・は座部２の凹溝４，４・・と噛合って床面にネジ止めされる。アジャスター１２はローパーティションのパネルを適当な高さに支え、この状態で該パネルが転倒しないようにアジャスター１２の座部２をブラケット５を介して床面に押圧・固定する。
【００１４】
図３はアジャスター１２にブラケット５を取付ける場合を示している。
(ａ)はアジャスター１２が床面１３から起立し、パネル１４を適当な高さに支持している場合である。ここで、パネル１４とアジャスター１２との具体的な連結構造は限定しないことにするが、パネル下端又はパネル連結部下端に設けているネジ穴に螺合して適度な高さに支えられる。
(ｂ)はブラケット５をアジャスター１２のネジ部１に挿入した場合である。ブラケット５にはスリット溝７が設けられ、このスリット溝７にネジ部１が挿入される。このように、パネル１４を適度な高さに調整した後でスリット溝７にネジ部１を嵌めてブラケット５を簡単に取付けることが可能である。
(ｃ)はブラケット５を降下して床面１３に配置した場合である。ブラケット５には凹部６が底面に設けられ、この凹部６にアジャスター１２の座部２が嵌合する。該凹部６の内側面には複数の凹溝８，８・・と凸片９，９・・が交互に形成され、該凹溝８，８・・には座部２の外側面に形成した凸片３，３・・が嵌り、凸片９，９・・は座部２の凹溝４，４・・に嵌って噛合うことが出来る。
【００１５】
このように凹部６に座部２が嵌合すると共に、凹溝８，８・・と凸片９，９・・が凸片３，３・・と凹溝４，４・・に互いに噛合った状態で、ブラケット５を床面１３にネジ止めするならば該座部２も床面１３に固定される。すなわち、座部２と凹部６との間に滑りはなく、アジャスター１２は安定して起立し、パネル１４の転倒を防止することが出来る。
【００１６】
図４は本発明のブラケット５を用いたローパーティションの具体例であり、(ａ)は縦断面図、(ｂ)は横断面図を表している。両パネル１４ａ，１４ｂの側端には概略コ形断面の連結部材１５ａ，１５ｂがネジ止めされ、この連結部材１５ａ，１５ｂを連結する為の上金具及び下金具が取付けられる。従ってスタッドを使用しないで両パネル１４ａ，１４ｂは連結されることに成る。
【００１７】
パネル１４の表面材１６の下端を内側へ屈曲した止着片１７，１７に巾木取付け部材１８が取着され、この巾木取付け部材１８に巾木１９，１９が取付けられている。該巾木取付け部材１８は長さの短い樹脂製のピースで構成され、中央基部２０を有し、中央基部２０の上端には上アーム２１，２１を両側に延ばしていて、上アーム先端には取着部２２，２２を設けている。
【００１８】
そして、取着部２２，２２に細幅の嵌合溝を形成し、該嵌合溝に表面材１６，１６の止着片１７、１７が嵌入して取付けられている。ところで、アジャスター１２のネジ部１は連結部材１５ａ，１５ｂを繋ぐ下金具のネジ穴に螺合して取り付けられ、ブラケット５は該アジャスター１２の座部２と組合されて床面１３にネジ止めされている。同図(ｂ)に表しているように、ブラケット５はパネル１４ａ，１４ｂから僅かに突出しているに過ぎない。
【図面の簡単な説明】
【００１９】
【図１】アジャスターを示す具体例。
【図２】ブラケットの具体例。
【図３】本発明に係るブラケットの取付け方法及び取付け構造。
【図４】アジャスターの座部にブラケットを取付けたローパーティションの具体例。
【符号の説明】
【００２０】
１  ネジ部
２  座部
３  凸片
４  凹溝
５  ブラケット
６  凹部
７  スリット溝
８  凹溝
９  凸片
10  穴
11  凸部
12  アジャスター
13  床面
14  パネル
15  連結部材
16  表面材
17  止着片
18  巾木取付け部材
19  巾木
20  中央基部
21  上アーム
22  取着部
23  下アーム
【図１】
2006177075.tif 000003
【図２】
2006177075.tif 000004
【図３】
2006177075.tif 000005
【図４】
2006177075.tif 000006